(57)【要約】【課題】筆記が行えると共に静電入力方式の入力装置へ入力が行える鉛筆を、多くの学童が利用できるように、簡単な構造で安価に提供できるようにする。【解決手段】軸体を形成する複数の軸部材に設けた溝部に黒鉛と粘土とを焼き固めた芯を配し、前記複数の軸部材を結合することにより前記芯を前記軸体で保持する構造の鉛筆において、軸体３を形成する複数の軸部材４，５に設けた溝部４０ａ，５０ａに黒鉛と粘土とを焼き固めた芯２を配し、複数の軸部材４，５を結合することにより芯２を軸体３で保持する構造の鉛筆１において、芯２が、本体部２ｂと該本体部２ｂの側方へ延出する延出部２ｃとを一体に形成し、前記延出部２ｃを導通部６として該延出部２ｃの外側縁部Ｇが前記軸体３の外面３ａから露出するよう構成する。【選択図】図１
2015077744.tif 000002
【特許請求の範囲】
【請求項１】
軸体を形成する複数の軸部材に設けた溝部に黒鉛と粘土とを焼き固めた芯を配し、前記複数の軸部材を結合することにより前記芯を前記軸体で保持する構造の鉛筆において、前記芯が、本体部と該本体部の側方へ延出する延出部とを一体に形成し、前記延出部を導通部として該延出部の外側縁部が前記軸体の外面から露出するよう構成したことを特徴とする鉛筆。
【発明の詳細な説明】
【技術分野】
【０００１】
本発明は、黒鉛と粘土を焼き固めた芯と当該芯を保持する軸体とを備えた鉛筆に関する。
【背景技術】
【０００２】
鉛筆は、構造が単純であることから価格的に安く提供されており、特に小学生など学童の授業においてかなりの比率で使用され、学校の試験や公的資格の試験会場においても鉛筆の使用が指定されている場合が多く、電子化が進んだ現在でもその需要は高いものである。
【０００３】
一方、特許文献１に記載されているような、手で持って使用する薄形のタッチパネル形式の入力装置が市場で人気を得ており、静電入力方式の入力装置の入力画面に指先で触れて入力を行ったり、特許文献２で開示されているように、導電性ゴムで形成された入力部を前方に設けた入力ペンで入力装置の入力画面を紙と同じように扱って、入力画面に絵を描いたり文字を書いたりすることができる入力ペンの需要が高くなっている。
【０００４】
また近年、前述のタッチパネル形式の入力装置は、仕事や趣味での利用以外にも、学校における授業で、電子化した教科書のデータを入力装置の画面に表示させて利用することが考えられている。このような状況下で古くから使用されている鉛筆の付加価値を考えた場合、書き味の向上などで革新的な性能向上はあまり望めない状況にあるものの、紙に筆記を行うという古くからの技術に対して、入力ペンで入力装置に入力を行うという新しい技術が広く普及されてきている現代にこそ、鉛筆の新しい付加価値を考えることが必要とされている。
【先行技術文献】
【特許文献】
【０００５】
【特許文献１】特開２０１１−８１８２５号公報
【特許文献２】特許第４１４２７７６号公報
【発明の概要】
【発明が解決しようとする課題】
【０００６】
本願発明者らは、鉛筆の軸体は、一般的に木材で成形されていることから絶縁体であるが、黒鉛と粘土を焼き固めた芯は、電気を通す良導体であることに着眼し、このような鉛筆の性質を利用して、筆記が行えると共に静電入力方式の入力装置へ入力が行える鉛筆を、多くの学童が利用できるように、簡単な構造で安価に提供できるようにすることを目的とした。
【課題を解決するための手段】
【０００７】
本発明は、
「軸体を形成する複数の軸部材に設けた溝部に黒鉛と粘土とを焼き固めた芯を配し、前記複数の軸部材を結合することにより前記芯を前記軸体で保持する構造の鉛筆において、
前記芯が、本体部と該本体部の側方へ延出する延出部とを一体に形成し、前記延出部を導通部として該延出部の外側縁部が前記軸体の外面から露出するよう構成したことを特徴とする鉛筆。」である。
【０００８】
本発明における軸体を形成する軸部材は、軸体の先端部を先細り形状に削ることで芯を露出させて筆記ができるように、木材や樹脂材など切削性のよい材料で成形するとよい。尚、一般的な鉛筆で使用されている木材を軸部材に使用すれば、特に安価なものを提供することが可能になるだけでなく、筆記時における書き心地が一般的な鉛筆に近いものとなるので、学童が使用するのに適したものとなる。尚、芯の硬度は、入力装置の入力画面である操作領域を傷付けないよう、２Ｂかそれ以上に軟らかい硬度のものがよい。
【０００９】
また本発明における導電部は、使用者が軸体のどこを握っても、また軸体を削ることで鉛筆が短くなっても手が導電部に触れるようにするために、軸体の全長に渡って導電部の外側縁部が露出する構造が好ましく、押出成形により芯の本体部と共に本体部の側方へ延出する延出部を一体で形成することにより、その構造を容易に得ることができる。
【発明の効果】
【００１０】
本発明では、軸体を削って露出させた芯によって紙への筆記が行えると共に、軸体の外面から露出した導電部に使用者の手が触れることによって、導電部と連接した芯の先端で静電入力方式の入力装置へ入力が行える鉛筆を、簡単な構造で得ることができた。
【図面の簡単な説明】
【００１１】
【図１】図１は本実施例の鉛筆の斜視図である。
【図２】図２は図１のＡ−Ａ線断面図である。
【図３】図３は図１に示した鉛筆の製造工程を示す図である
【図４】図４は図１に示した鉛筆で紙へ筆記を行っている状態の図である。
【図５】図５は図１に示した鉛筆で静電容量方式の入力装置へ入力を行っている状態の図である。
【発明を実施するための形態】
【００１２】
次に図面を参照しながら、本発明の実施の形態の具体例（以下、実施例と記載する）を
説明するが、本発明は以下の実施例に限定されるものではない。
また、説明を分かりやすくするために、図面中の同様の部材、同様の部分については同じ番号を付してある。
【００１３】
図１から図５を用いて本実施例の説明を行う。
図１は本実施例の鉛筆の斜視図で、図２は図１のＡ−Ａ線断面図である。
鉛筆１は、黒鉛と粘土を焼き固めた芯２を、木材で成形した断面が六角形状の軸体３で保持する構造であり、軸体３の先端部を鉛筆削りで円錐状に削り、芯２の先端部２ａを露出させてある。
軸体３を形成する二本の軸部材４，５の間には、芯２の本体部２ｂの側方へ延出する延出部２ｃを一体に形成し、導電部６としてある。
また、導電部６の外側縁部Ｇは、軸体３の全長に渡って軸筒３の外面３ａから露出させており、導電部６に軸体３を把持した使用者の手が触れるようにしてある。尚、芯２の本体部２ｂに対して導電部６（延出部２ｃ）の内側縁部Ｎを電気的に導通するように連設させてあることから、芯２の本体部２ｂと導電部６（延出部２ｃ）の外側縁部Ｇとは電気的に導通する。
【００１４】
次に、図３を用いて本実施例の鉛筆の製造工程に関して説明を行う。図３は、図２と同じく鉛筆の横断面方向を示しており、図３Ａでは、図２で示した軸部材４を形成する板材４０には、複数の半円状の溝部４０ａを設けてあり、各溝部４０ａの両脇には、平面状の溝部４０ｂを設けてある。また図２で示した軸部材５を形成する板材５０には、複数の半円状の溝部５０ａを設けてあり、溝部５０ａの両脇には、平面状の溝部５０ｂを設けてある。
また、黒鉛と粘土を焼き固めた芯２は、本体部２ｂの両側から直線上（図２においては上下方向）に延出させた延出部２ｃを設けてあり、板材４０，５０の半円状の溝部４０ａ，５０ａには芯２の本体部２ｂを、板材４０，５０の平面状の溝部４０ａ，５０ａには芯２の延出部２ｃを配設すると共に、板材４０，５０における互いの接触面に接着剤（図示せず）を塗布して板材４０と板材５０とを重ねることで、板材４０と板材５０および芯２の接着を行い一体としてある。尚、図３Ｂの状態から、図３Ｃに示すように、板材４０と板材５０の上下にＶ溝４０ｃ，５０ｃを切削することにより、図２で示したような鉛筆１が形成される。
【００１５】
次に、図４を用いて、本実施例の鉛筆１で、紙面に筆記する状態について説明を行う。図に示すように鉛筆１は、芯２の先端部２ａで紙１１０に文字１１０ａを書くことができた。
【００１６】
次に、図５を用いて、本実施例の鉛筆１で、静電容量方式の入力装置に入力する状態について説明を行う。図に示すように鉛筆１は、芯２の先端部２ａを静電容量方式の入力装置１１０における操作領域１１０ａに接触させて摺動させると、使用者が把持した軸体３の導電部６と芯２とを通じて操作領域１１０ａに静電変化を生じさせ、画像作成ソフトウェアの画面に線１１０ｂを描くことができた。
【符号の説明】
【００１７】
１…鉛筆、
２…芯、２ａ…先端部、２ｂ…本体部、２ｃ…延出部、
３…軸体、３ａ…外面、
４…軸部材、５…軸部材、
４０…板材、４０ａ…半円状の溝部、４０ｂ…平面状の溝部、４０ｃ…Ｖ溝、
５０…板材、５０ａ…半円状の溝部、５０ｂ…平面状の溝部、５０ｃ…Ｖ溝、
６…導電部、
Ｎ…内側縁部、Ｇ…外側縁部、
１００…紙、１００ａ…文字、
１１０…入力装置、１１０ａ…操作領域、１１０ｂ…線。
【図１】
2015077744.tif 000003
【図２】
2015077744.tif 000004
【図３】
2015077744.tif 000005
【図４】
2015077744.tif 000006
【図５】
2015077744.tif 000007